(57)【要約】【課題】干渉回避伝送システムとその方法の提供。【解決手段】本発明は一種の干渉回避伝送システムに関わるものである。主に発信装置と受信装置を有する。その伝送方法は発信装置に備える干渉処理モジュールにより、第１データを受信し、複数の拡張データを第１データに加えて、第２データを生成し、データの干渉周波数帯域の複数データをゼロデータに置き換えて、送信データを生成した上、伝送処理モジュールにより、送信データを無線周波信号から無線周波信号に変換し、受信装置に伝送することにより、周波数帯域重複区域を回避し信号の相互干渉を避けることができる。【選択図】図１
2008124644.tif 000002
【特許請求の範囲】
【請求項１】
以下の構成要素を備えた発信装置、
第１逆方向高速フーリエ変換（Ｉｎｖｅｒｓｅ  Ｆａｓｔ  Ｆｏｕｒｉｅｒ  Ｔｒａｎｓｆｏｒｍ）ユニットにより、入力データを受信し、該入力データを第１データに変換し、
干渉処理モジュールにより該第１データを受信し、複数の拡張データを該第１データに加えて、第２データを生成し、データの干渉周波数帯域の複数データをゼロデータに置き換えて、伝送データを生成し。
伝送処理モジュールにより該伝送データを無線周波信号に変換し、該無線周波信号を伝送し、
以下の構成要素を備えた受信装置、
受信処理モジュールにより該無線周波信号を受信し、該無線周波信号を受信データに変換し、
削除ユニットにより該受信データに備えた該拡張データを削除し、還元データを生成し、
第１高速フーリエ変換 （Ｆａｓｔ  Ｆｏｕｒｉｅｒ  Ｔｒａｎｓｆｏｒｍ） ユニットにより、該還元データを変換し、出力データを生成することを特徴とする干渉回避伝送システム。
【請求項２】
該干渉処理モジュールは拡張ユニットにより、該拡張データを該第１データに加えて、第２データを生成し、
第２高速フーリエ変換 （Ｆａｓｔ  Ｆｏｕｒｉｅｒ  Ｔｒａｎｓｆｏｒｍ） ユニットにより、該第２データを変換し、第３データを生成し、
選択ユニットにより、該第３データの該干渉周波数帯域の複数データをゼロデータに置き換えて、第４データを生成し、
第２逆方向高速フーリエ変換ユニットにより、該第４データを変換し、送信データとすることを特徴とする請求項１記載の干渉回避伝送システム。
【請求項３】
該選択ユニットは多重化装置であることを特徴とする請求項２記載の干渉回避伝送システム。
【請求項４】
該拡張データは複数のゼロデータであることを特徴とする請求項１記載の干渉回避伝送システム。
【請求項５】
該伝送処理モジュールはデジタルアナログ・コンバータにより該伝送データをアナログ方式の伝送データに変換し、
無線周波信号伝送機により、該アナログ方式の伝送データを該無線周波信号に変換し、  送信アンテナにより、該無線周波信号を送信することを特徴とする請求項１記載の干渉回避伝送システム。
【請求項６】
該伝送処理モジュールはフィルタにより、該伝送データのノイズを除去し、該伝送データを該デジタルアナログ・コンバータに伝送することを特徴とする請求項５記載の干渉回避伝送システム。
【請求項７】
該フィルタは平方根コサイン（Ｓｑｕａｒｅ  Ｒｏｏｄ  Ｒｉｓｅｄ  Ｃｏｓｉｎｅ）フィルタであることを特徴とする請求項６記載の干渉回避伝送システム。
【請求項８】
該発信装置はシリアルパラレル・コンバータによりシリアル方式の該入力データをパラレル方式の入力データに変換して、該逆方向フーリエ変換ユニットに伝送することを特徴とする請求項１記載の干渉回避伝送システム。
【請求項９】
該発信装置はパラレルシリアル・コンバータにより、パラレル方式の該伝送データをシリアル方式の伝送データに変換し、該伝送処理モジュールに伝送することを特徴とする請求項１記載の干渉回避伝送システム。
【請求項１０】
該受信処理モジュールは送信アンテナにより、該無線周波信号を受信し、
無線周波信号受信機により、該無線周波信号を該受信データに変換し、
アナログデジタルコンバータにより、アナログ方式の該受信データをデジタル方式の受信データに変換することを特徴とする請求項１記載の干渉回避伝送システム。
【請求項１１】
該受信処理モジュールはフィルタにより該受信データのノイズを除去し、該除去ユニットに伝送することを特徴とする請求項１０記載の干渉回避伝送システム。
【請求項１２】
該フィルタは平方根コサイン（Ｓｑｕａｒｅ  Ｒｏｏｄ  Ｒｉｓｅｄ  Ｃｏｓｉｎｅ）フィルタであることを特徴とする請求項１１記載の干渉回避伝送システム。
【請求項１３】
該受信装置はシリアルパラレル・コンバータにより、シリアル方式の該伝送データをパラレル方式の伝送データに変換し、該除去ユニットに伝送することを特徴とする請求項１記載の干渉回避伝送システム。
【請求項１４】
該受信装置はパラレルシリアル・コンバータにより、該出力データを変換し、該出力データをシリアル方式の出力データを出力することを特徴とする請求項１記載の干渉回避伝送システム。
【請求項１５】
該受信装置は等化器により該出力データを等化することを特徴とする請求項１記載の干渉回避伝送システム。
【請求項１６】
該受信装置は復号ユニットにより、該出力データを復号化することを特徴とする請求項１記載の干渉回避伝送システム。
【請求項１７】
超広帯域直交週波数分割多重に応用できることを特徴とする請求項１記載の干渉回避伝送システム。
【請求項１８】
入力データを受信し、該入力データを第１データに変換し、
該第１データを受信し、複数の拡張データを該第１データに加えて、第２データを生成し、データの干渉周波数帯域の複数データをゼロデータに経置き換えて、伝送データを生成し、
該伝送データを無線週波信号に変換し、該無線週波信号を送信し、
該無線週波信号を受信し、該無線週波信号を受信データに変換し、
該受信データに備える該拡張データを削除して、還元データを生成し、
該還元データを変換し、出力データを生成することを特徴とする干渉回避伝送システムの方法。
【請求項１９】
該第１データを受信し、複数の拡張データを第１データに加えて、第２データを生成し、干渉周波数帯域の複数のデータをゼロデータに置き換えて、伝送データを生成する方法において、さらに以下の手順を含まれ、
該拡張データを該第１データに加えて、第２データを生成し、
該第２データを変換し、第３データを生成し、
選択ユニットにより、該第３データの該干渉周波数帯域の複数データをゼロデータに置き換えて、第４データを生成し、
該第４データを該伝送データに変換することを特徴とする請求項１８記載の干渉回避伝送システムの方法。
【請求項２０】
該第３データの干渉周波数帯域の複数データをゼロデータに置き換えて、第４データを生成する手順は多重化方式を用いることを特徴とする請求項１９記載の干渉回避伝送システムの方法。
【請求項２１】
該拡張データは複数のゼロデータであることを特徴とする請求項１８記載の干渉回避伝送システムの方法。
【請求項２２】
該伝送データのデータは無線周波信号に変換し、該無線周波信号を伝送する手順において、さらに以下の手順を含まれ、
該伝送データをアナログ方式の伝送データに変換し、
該アナログ方式の伝送データを該無線周波信号に変換し、
該無線周波信号を伝送することを特徴とする請求項１８記載の干渉回避伝送システムの方法。
【請求項２３】
さらに該伝送データを検査した上、該伝送データを変換することを特徴とする請求項２２記載の干渉回避伝送システムの方法。
【請求項２４】
該検査方法は平方根コサインの方式によることを特徴とする請求項２３記載の干渉回避伝送システムの方法。
【請求項２５】
さらに以下の手順を含まれ、
シリアル方式の入力データをパラレル方式の入力データに置き換えて該入力データを第１データに変換することを特徴とする請求項１８記載の干渉回避伝送システムの方法。
【請求項２６】
さらに以下の手順を含まれ、
パラレル方式の該伝送データをシリアル方式の伝送データに変換し、該伝送データを無線周波信号に変換することを特徴とする請求項１８記載の干渉回避伝送システムの方法。
【請求項２７】
該無線周波信号を受信データに変換する手順は、さらに以下の手順を含まれ、
該無線周波信号を受信し、
アナログ方式の該受信データをデジタル方式の受信データに変換することを特徴とする請求項１８記載の干渉回避伝送システムの方法。
【請求項２８】
さらに以下の手順を含まれ、
該受信データを検査し、該受信データの該拡張データを除去することを特徴とする請求項２７記載の干渉回避伝送システムの方法。
【請求項２９】
該検査方法は平方根コサインの方式によることを特徴とする請求項２８記載の干渉回避伝送システムの方法。
【請求項３０】
さらに以下の手順を含まれ、
シリアル方式の受信データをパラレル方式の受信データに変換し、該受信データの該拡張データを除去することを特徴とする請求項１８記載の干渉回避伝送システムの方法。
【請求項３１】
さらに以下の手順を含まれ、
パラレル方式の該出力データをシリアル方式の伝送データに置き換えることを特徴とする請求項１８記載の干渉回避伝送システムの方法。
【請求項３２】
さらに以下の手順を含まれ、
該出力データの等化を行うことを特徴とする請求項１８記載の干渉回避伝送システムの方法。
【請求項３３】
さらに以下の手順を含まれ、
該出力データの復号化を行うことを特徴とする請求項１８記載の干渉回避伝送システムの方法。
【請求項３４】
超広帯域直交週波数分割多重に応用できることを特徴とする請求項１８記載の干渉回避伝送システムの方法。
【発明の詳細な説明】
【技術分野】
【０００１】
本発明は一種の伝送システム、特に一種の干渉回避の伝送システムとその方法に関わるものである。
【背景技術】
【０００２】
現在の科学技術がますます進化するに伴い、科学技術製品も次から次ぎへ新製品を開発している。特に、携帯電話、ブルートゥズイヤホーンなどの無線製品に反映されている。相互干渉による通信品質への影響を避けるため、米国電気技術者協会（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ，  ＩＥＥＥ）より無線ネットワークに関する規格が公布されている。
【０００３】
さらに、アメリカ合衆国連邦通信委員会（ＦＣＣ）には、超広帯域（Ｕｌｔｒａ  Ｗｉｄｅ  Ｂａｎｄ）に関する第１報告と指令技術の発表に伴い、この超広帯域技術の商用目的として、一種の周波数帯域マスクを制定し、超広帯域信号が他の協定の帯域に干渉しないように保護する。一例として、全地球衛星測位システム（ＧＰＳ）の検出装置及びＷｉＭＡＸ（Ｗｏｒｌｄｗｉｄｅ  ｉｎｔｅｒｏｐｅｒａｂｉｌｌｉｔｙ  ｆｏｒ  Ｍｉｃｒｏｗａｖｅ  Ａｃｃｅｓｓ）協定は、この周波数帯域マスクに大きな連続した帯域が割り当てられている。そのうち、超広帯域のうち、実行等方向放射力（Ｅｆｆｅｃｔｉｖｅ  Ｉｓｏｔｒｏｐｉｃ  Ｒａｄｉａｔｅｄ  Ｐｏｗｅｒ，  ＥＩＲＰ）の発信レベル（―４１.２５ｄＢＭ/ＭＨｚ）は３.１ＧＨｚから１０.６ＧＨｚ帯域の超広帯域通信技術を使用する。
【０００４】
ＷｉＭＡＸ協定で規定された周波数帯域は３.６ＧＨｚを使用する。よって、ＷｉＭＡＸ協定と超広帯域の周波数帯域が重複し相互干渉の問題が残る。このため、ＴＩよりＥＣＣ／ＴＧ３ＴＧ３＃１０＿ＸＸ， ”ＵＷＢ Ｉｎｔｅｒｆｅｒｅｎｃｅ  Ｍｉｔｉｇａｔｉｏｎ”， １０th ＥＣＣ／ＴＧ３ ｍｅｅｔｉｎｇ，  Ｃｏｐｅｎｈａｇｅｎ，  Ｊｕｌｙ  ２００５の論文において、一種の干渉自動解消（Ａｃｔｉｖｅ  Ｉｎｔｅｒｆｅｒｅｎｃｅ  Ｃａｎｃｅｌｌａｔｉｏｎ，  ＡＩＣ）技術を提供し干渉回避を図る。ＴＩの該干渉回避技術のノッチフィルタ（ｎｏｔｃｈ  ｆｉｌｔｅｒ）の効率は３０ｄＢ前後、さらに、超広帯域システムの干渉回避技術の処理能力４０ｄＢ前後を加わると、ＴＩの該論文に提示された干渉回避技術の処理能力の合計は７０ｄＢのレベルに達する。しかしながら、なお干渉しやすい状況である。
【０００５】
本発明者は、前記した問題点を鑑みて、一種の斬新な干渉回避の伝送システムとその方法を提供する。本案は周波数帯域重複による信号の相互干渉の欠点を解消し、前記した問題点の解決を図る。
【発明の開示】
【発明が解決しようとする課題】
【０００６】
干渉処理モジュールにより周波数重複帯域の処理を行い、信号の相互干渉を回避する、一種の干渉回避の伝送システムとその方法を提供することを本発明の一つの目的である。
【０００７】
追加ユニットにより拡張データを追加し、多重化装置と組み合わせて、周波数帯域重複による相互干渉の回避を図る、一種の干渉回避の伝送システムとその方法を提供することを本発明の一つの目的である。
【０００８】
本発明の干渉回避伝送システムは、発信装置と受信装置より構成する。発信装置は第１逆方向高速フーリエ変換ユニット、干渉処理モジュール及び伝送処理モジュールより構成する。受信装置は受信処理モジュール、削除ユニット及び高速フーリエ変換ユニットより構成する。本発明の伝送方法は、第１逆方向フーリエ変換ユニットより入力データを受信し、該入力データを第１データに変換する。干渉処理モジュールにより該第１データを受信するときに、複数の拡張データを第１データに追加し、第２データを生成して、データの干渉帯域の複数データをゼロデータに置き換えて、送信データを生成する。伝送処理モジュールにより、送信データを無線周波信号に置き換えて、該無線周波信号を発信する。
【０００９】
引き続きに、受信装置は処理モジュールより無線周波信号を受信し、該無線周波信号を受信データに変換し、削除ユニットにより該受信データの拡張データの削除を行い、還元データを高速フーリエ変換ユニットにて生成し、該還元データを変換し、出力データを生成する。
【課題を解決するための手段】
【００１０】
請求項１の発明は、以下の構成要素を備えた発信装置、
第１逆方向高速フーリエ変換（Ｉｎｖｅｒｓｅ  Ｆａｓｔ  Ｆｏｕｒｉｅｒ  Ｔｒａｎｓｆｏｒｍ）ユニットにより、入力データを受信し、該入力データを第１データに変換し、
干渉処理モジュールにより該第１データを受信し、複数の拡張データを該第１データに加えて、第２データを生成し、データの干渉周波数帯域の複数データをゼロデータに置き換えて、伝送データを生成し、
伝送処理モジュールにより該伝送データを無線周波信号に変換し、該無線周波信号を伝送し、
以下の構成要素を備えた受信装置、
受信処理モジュールにより該無線周波信号を受信し、該無線周波信号を受信データに変換し、
削除ユニットにより該受信データに備えた該拡張データを削除し、還元データを生成し、
第１高速フーリエ変換 （Ｆａｓｔ  Ｆｏｕｒｉｅｒ  Ｔｒａｎｓｆｏｒｍ） ユニットにより、該還元データを変換し、出力データを生成することを特徴とする干渉回避伝送システムとしている。
請求項２の発明は、該干渉処理モジュールはさらに以下の構成要素を備え、
拡張ユニットにより、該拡張データを該第１データに加えて、第２データを生成し、
第２高速フーリエ変換 （Ｆａｓｔ  Ｆｏｕｒｉｅｒ  Ｔｒａｎｓｆｏｒｍ） ユニットにより、該第２データを変換し、第３データを生成し、
選択ユニットにより、該第３データの該干渉周波数帯域の複数データをゼロデータに置き換えて、第４データを生成し、
第２逆方向高速フーリエ変換ユニットにより、該第４データを変換し、送信データとすることを特徴とする請求項１記載の干渉回避伝送システムとしている。
請求項３の発明は、該選択ユニットは多重化装置であることを特徴とする請求項２記載一種の干渉回避伝送システムとしている。
請求項４の発明は、該拡張データは複数のゼロデータであることを特徴とする請求項１記載の干渉回避伝送システムとしている。
請求項５の発明は、該伝送処理モジュールはデジタルアナログ・コンバータにより該伝送データをアナログ方式の伝送データに変換し、
無線周波信号伝送機により、該アナログ方式の伝送データを該無線周波信号に変換し、  送信アンテナにより、該無線周波信号を送信することを特徴とする請求項１記載の干渉回避伝送システムとしている。
請求項６の発明は、該伝送処理モジュールはフィルタにより、該伝送データのノイズを除去し、該伝送データを該デジタルアナログ・コンバータに伝送することを特徴とする請求項５記載の干渉回避伝送システムとしている。
請求項７の発明は、該フィルタは平方根コサイン（Ｓｑｕａｒｅ  Ｒｏｏｄ  Ｒｉｓｅｄ  Ｃｏｓｉｎｅ）フィルタであることを特徴とする請求項６記載の干渉回避伝送システムとしている。
請求項８の発明は、該発信装置はシリアルパラレル・コンバータにより、シリアル方式の該入力データをパラレル方式の入力データに変換して、該逆方向フーリエ変換ユニットに伝送することを特徴とする請求項１記載の干渉回避伝送システムとしている。
請求項９の発明は、該発信装置はパラレルシリアル・コンバータにより、パラレル方式の該伝送データをシリアル方式の伝送データに変換し、該伝送処理モジュールに伝送することを特徴とする請求項１記載の干渉回避伝送システムとしている。
請求項１０の発明は、該受信処理モジュールは送信アンテナにより、該無線周波信号を受信し、
無線周波信号受信機により、該無線周波信号を該受信データに変換し、
アナログデジタルコンバータにより、アナログ方式の該受信データをデジタル方式の受信データに変換することを特徴とする請求項１記載の干渉回避伝送システムとしている。
請求項１１の発明は、該受信処理モジュールはフィルタにより、該受信データのノイズを除去し、該除去ユニットに伝送することを特徴とする請求項１０記載の干渉回避伝送システムとしている。
請求項１２の発明は、該フィルタは平方根コサイン（Ｓｑｕａｒｅ  Ｒｏｏｄ  Ｒｉｓｅｄ  Ｃｏｓｉｎｅ）フィルタであることを特徴とする請求項１１記載の干渉回避伝送システムとしている。
請求項１３の発明は、該受信装置はシリアルパラレル・コンバータにより、シリアル方式の該伝送データをパラレル方式の伝送データに変換し、該除去ユニットに伝送することを特徴とする請求項１記載の干渉回避伝送システムとしている。
請求項１４の発明は、該受信装置はパラレルシリアル・コンバータにより、該出力データを変換し、該出力データをシリアル方式の出力データを出力することを特徴とする請求項１記載の干渉回避伝送システムとしている。
請求項１５の発明は、該受信装置は等化器により該出力データを等化することを特徴とする請求項１記載の干渉回避伝送システムとしている。
請求項１６の発明は、該受信装置は復号ユニットにより、該出力データを復号化することを特徴とする請求項１記載の干渉回避伝送システムとしている。
請求項１７の発明は、超広帯域直交週波数分割多重に応用できることを特徴とする請求項１記載の干渉回避伝送システムとしている。
請求項１８の発明は、入力データを受信し、該入力データを第１データに変換し、
該第１データを受信し、複数の拡張データを該第１データに加えて、第２データを生成し、データの干渉周波数帯域の複数データをゼロデータに置き換えて、伝送データを生成し、
該伝送データを無線周波信号に変換し、該無線周波信号を送信し、
該無線周波信号を受信し、該無線周波信号を受信データに変換し、
該受信データに備える該拡張データを削除して、還元データを生成し、
該還元データを変換し、出力データを生成することを特徴とする干渉回避伝送システムの方法としている。
請求項１９の発明は、該第１データを受信し、複数の拡張データを第１データに加えて、第２データを生成し、干渉周波数帯域の複数のデータをゼロデータに置き換えて、伝送データを生成する方法において、さらに以下の手順を含まれ、
該拡張データを該第１データに加えて、第２データを生成し、
該第２データを変換し、第３データを生成し、
選択ユニットにより、該第３データの該干渉周波数帯域の複数データをゼロデータに置き換えて、第４データを生成し、
該第４データを該伝送データに変換することを特徴とする請求項１８記載の干渉回避伝送システムの方法としている。
請求項２０の発明は、該第３データの干渉周波数帯域の複数データをゼロデータに置き換えて、第４データを生成する手順は多重化方式を用いることを特徴とする請求項１９記載の干渉回避伝送システムの方法としている。
請求項２１の発明は、該拡張データは複数のゼロデータであることを特徴とする請求項１８記載の干渉回避伝送システムの方法としている。
請求項２２の発明は、該伝送データのデータは無線周波信号に変換し、該無線周波信号を伝送する手順において、さらに以下の手順を含まれ、
該伝送データをアナログ方式の伝送データに変換し、
該アナログ方式の伝送データを該無線周波信号に変換し、
該無線周波信号を伝送することを特徴とする請求項１８記載の干渉回避伝送システムの方法としている。
請求項２３の発明は、さらに該伝送データを検査した上、該伝送データを変換することを特徴とする請求項２２記載の干渉回避伝送システムの方法としている。
請求項２４の発明は、該検査方法は平方根コサインの方式によることを特徴とする請求項２３記載の干渉回避伝送システムの方法としている。
請求項２５の発明は、さらに以下の手順を含まれ、
シリアル方式の入力データをパラレル方式の入力データに置き換えて該入力データを第１データに変換することを特徴とする請求項１８記載の干渉回避伝送システムの方法としている。
請求項２６の発明は、さらに以下の手順を含まれ、
パラレル方式の該伝送データをシリアル方式の伝送データに変換し、該伝送データを無線周波信号に変換することを特徴とする請求項１８記載の干渉回避伝送システムの方法としている。
請求項２７の発明は、該無線周波信号を受信データに変換する手順は、さらに以下の手順を含まれ、
該無線周波信号を受信し、
アナログ方式の該受信データをデジタル方式の受信データに変換することを特徴とする請求項１８記載の干渉回避伝送システムの方法としている。
請求項２８の発明は、さらに以下の手順を含まれ、
該受信データを検査し、該受信データの該拡張データを除去することを特徴とする請求項２７記載の干渉回避伝送システムの方法としている。
請求項２９の発明は、該検査方法は平方根コサインの方式によることを特徴とする請求項２８記載の干渉回避伝送システムの方法としている。
請求項３０の発明は、さらに以下の手順を含まれ、
シリアル方式の受信データをパラレル方式の受信データに変換し、該受信データの該拡張データを除去することを特徴とする請求項１８記載の干渉回避伝送システムの方法としている。
請求項３１の発明は、さらに以下の手順を含まれ、
パラレル方式の該出力データをシリアル方式の伝送データに置き換えることを特徴とする請求項１８記載の干渉回避伝送システムの方法としている。
請求項３２の発明は、さらに以下の手順を含まれ、
該出力データの等化を行うことを特徴とする請求項１８記載の干渉回避伝送システムの方法としている。
請求項３３の発明は、さらに以下の手順を含まれ、
該出力データの復号化を行うことを特徴とする請求項１８記載の干渉回避伝送システムの方法としている。
請求項３４の発明は、超広帯域直交周波数分割多重に応用できることを特徴とする請求項１８記載の干渉回避伝送システムの方法としている。
【発明の効果】
【００１１】
本発明の干渉回避伝送システムは、主に発信装置に備える干渉処理モジュールにより、第１データを受信し、複数の拡張データを第１データに加えて、第２データを生成し、データの干渉周波数帯域の複数データをゼロデータに置き換えて、伝送データを生成した上、伝送処理モジュールにより、伝送データを無線周波信号に変換し、受信装置に伝送し、無線周波信号を受信する。受信装置により、削除ユニットの入力データに含まれる拡張データを削除して、該当入力データの復号化を行うことにより、周波数帯域重複区域を回避し、信号の相互干渉を避けることができる。
【発明を実施するための最良の形態】
【００１２】
本発明の干渉回避伝送システムは超広帯域（ＵＷＢ）の直交周波数分割多重（ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ，  ＯＦＤＭ）システムを用いて、ＷｉＭＡＸ協定の使用周波数帯域を回避し、信号がこの周波数帯域での相互干渉を避ける。ただし、これは本発明の好ましい実施例の一つに過ぎない、本発明はこれによって制限されるべきでないことを申し上げる。
【００１３】
図１は、本発明の好ましい実施例における発信機のブロック図である。図示のとおり、本発明の干渉回避伝送システムの発信機１は、シリアルパラレル・コンバータ１１０、第１逆方向高速フーリエ変換ユニット１２０、干渉処理モジュール１３０、パラレルシリアル・コンバータ１４０、フィルタ１５０、及び伝送処理モジュール１６０より構成する。シリアルパラレル・コンバータ１１０により、入力データを受信し、該シリアルデータをパラレルデータに変換した上、第１逆方向高速フーリエ変換ユニット１２０に伝送する。第１逆方向高速フーリエ変換ユニット１２０により該パラレルデータを受信し、周波数帯域の入力データを変換し、第１データを生成し、時間域データの入力データとする。
【００１４】
干渉処理モジュール１３０は、第１データの解析度を向上させるため、第１データを受信したとき、複数の拡張データを第１データに加えて、第２データを生成し、第１データの干渉帯域の複数データをゼロデータに置き換えた上、送信データを生成する。そのうち、拡張データは解析度を向上するため、複数のゼロデータを設けて、干渉帯域の複数データをゼロデータに置き換えるとき、第１データの精度を向上させ、干渉の可能帯域を精確に回避できる。
【００１５】
パラレルシリアル・コンバータ１４０により、パラレルデータをシリアル方式の送信データに変換する。フィルタ１５０により、シリアル送信データを受信し、不必要なノイズをカットする。該フィルタ１５０は平方根コサイン（Ｓｑｕａｒｅ  Ｒｏｏｄ  Ｒｉｓｅｄ  Ｃｏｓｉｎｅ）フィルタである。伝送処理モジュール１６０により送信データを受信し、無線周波信号に変換した上、該無線周波信号を発信する。
【００１６】
このほか、干渉処理モジュール１３０はさらに、拡張ユニット１３２、第２高速フーリエ変換ユニット１３４、選択ユニット１３６、及び第２逆方向高速フーリエ変換ユニット１３８を含まれる。解析度を向上するため、拡張ユニット１３２により、該拡張データを第１データに加えて、第２データを生成する。そのうち、該拡張データは複数のゼロデータとする。さらに、該拡張データが大きいほど、該第２データの解析度が高い。第２高速フーリエ変換ユニット１３４により該第２データを受信して、時間域の第２データを周波数帯域の第２データに変換して、第３データを生成する。選択ユニット１３６により、第３データに対応する干渉帯域の複数のデータのみを選択し、ゼロデータに置き換えて、第４データを生成する。第２逆方向高速フーリエ変換ユニット１３８により、時間域の第４データを周波数帯域の第４データに変換して、送信データを生成する。そのうち、選択ユニット１３６は多重化装置を設け、ゼロ音調選択信号に基づいて、第３データの干渉帯域の複数データを選択して、ゼロデータに置き換える。
【００１７】
伝送処理モジュール１６０はさらに、デジタルアナログ・コンバータ１６２、無線周波伝送機１６４及び送信アンテナ１６６を含まれる。デジタルアナログ・コンバータ１６２により送信データをアナログに変換し、無線周波伝送器１６４により、アナログ送信データを無線周波信号に変換して、送信アンテナ１６６より無線周波信号を送信する。
【００１８】
図２は、本発明の好ましい実施例における受信機のブロック図である。図示のとおり、本発明の干渉回避伝送システムの受信機２は受信処理モジュール２１０、フィルタ２２０、シリアルパラレル・コンバータ２３０、削除ユニット２４０、第１高速フーリエ変換ユニット２５０、等化器２６０、パラレルシリアル・コンバータ２７０及び復号ユニット２８０より構成する。受信処理モジュール２１０は発信装置より送信した無線周波信号を受信し、無線周波信号を受信信号に変換する。フィルタ２２０により受信データのノイズを除去する。該フィルタは平方根コサイン（Ｓｑｕａｒｅ  Ｒｏｏｄ  Ｒｉｓｅｄ  Ｃｏｓｉｎｅ）フィルタを用いる。シリアルパラレル・コンバータ２３０によりシリアルデータをパラレル方式の受信データに変換し、削除ユニット２４０に伝送する。削除ユニット２４０により受信データに含まれる拡張データを削除するとき、図１の発信装置１の拡張ユニット１３２により第１データに拡張データを加えて、還元データを生成する。第１高速フーリエ変換ユニット２５０により還元データを変換し、出力データを生成する。等化器２６０により入力データを受信し出力データを等化し、データの伝送チャンネルにおける効果の補償を行う。パラレルシリアル・コンバータ２７０により、パラレル方式の該出力データをシリアル方式の出力データに変換する。復号ユニット２８０により、該出力データの復号化を行い、データ伝送を終了する。
【００１９】
このほか、受信処理モジュール２１０はさらに、受信アンテナ２１２、無線周波信号受信機２１４及びデジタルアナログ・コンバータ２１６を含まれる。受信アンテナ２１２により無線周波信号は無線周波信号受信機２１４より受信し、該無線周波信号受信機２１４により該無線周波信号を受信データに変換する。デジタルアナログ・コンバータ２１６によりアナログ方式の該受信データをデジタル方式の受信データを受信する。
【００２０】
図３は、本発明の好ましい実施例における周波数帯域図である。図示したものは、超広帯域直交週波数分割多重の応用態様図である。超広帯域使用の周波数帯域は３.１ＧＨｚから１０.６ＧＨｚのため、ＷｉＭＡＸ使用の週波数３.６ＧＨｚと重なるほか、ＷｉＭＡＸが使用する最大の周波数帯域は２０ＭＨｚのため、超広帯域の信号発信は２０ＭＨｚの周波数帯を避けて行い、ＷｉＭＡＸ使用の周波数帯域を回避し、信号の相互干渉を避ける。本発明は拡張データの追加により、発信装置における入力データの解析度を向上する。一例として、入力データは５のとき、２０ＭＨｚの周波数帯域を５つの周波数帯域に分け、各周波数帯域を４ＭＨｚとする。入力データに拡張データを追加すると、該入力データの解析度は１０に増強される。２０ＭＨｚの周波数帯域を１０の周波数帯域に分け、各周波数帯域は２ＭＨｚとする。これにより、入力データの解析度の向上は超広帯域技術の精度をさらに向上できる。すなわち、２０ＭＨｚの周波数帯域を回避できる。
【００２１】
一方、一筆のデータは周波数帯域において、一つのシンク（ｓｉｎｃ）波形に当たる。伝送データの解析度が高いほど、シンク（ｓｉｎｃ）波形が狭くなり、サイドローブ（ｓｉｄｅｌｏｂｅ）の信号強度も小さくなる。このため、干渉信号モジュールが所定の信号を遮蔽したとき、シンク（ｓｉｎｃ）波形のサイドローブ（ｓｉｄｅｌｏｂｅ）信号の強度が弱くなり、本発明の干渉回避の能力を増強させる。図３に示すとおり、本発明による干渉回避の能力は４２ｄＢのため、信号の相互干渉を確実に回避できる。
【図面の簡単な説明】
【００２２】
【図１】本発明の実施例における発信装置のブロック図である。
【図２】本発明の実施例における受信装置のブロック図である。
【図３】本発明の実施例の周波数帯域図である。
【符号の説明】
【００２３】
１１０  シリアルパラレル・コンバータ
１２０  第１逆方向高速フーリエ変換ユニット
１３０  干渉処理モジュール
１３２  拡張ユニット
１３４  第２高速フーリエ変換ユニット
１３６  選択ユニット
１３８  第２逆方向高速フーリエ変換ユニット
１４０  パラレルシリアル・コンバータ
１５０  フィルタ
１６０  伝送処理モジュール
１６２  デジタルアナログ・コンバータ
１６４  無線周波信号伝送機
１６６  送信アンテナ
２１０  受信処理モジュール
２１２  受信アンテナ
２１４  無線周波信号受信機
２１６  デジタルアナログ・コンバータ
２２０  フィルタ
２３０  シリアルパラレル・コンバータ
２４０  削除ユニット
２５０  第１高速フーリエ変換ユニット
２６０  等化器
２７０  パラレルシリアル・コンバータ
２８０  復号ユニット
【図１】
2008124644.tif 000003
【図２】
2008124644.tif 000004
【図３】
2008124644.tif 000005